(57)【要約】【課題】従来の窒素酸化物除去装置は、吸収液を噴射させるノズルが詰まってしまい吸収液が噴射されない、または、ノズルが詰まらないようにするためのメンテナンスに手間がかかるという課題があった。【解決手段】空気中の窒素酸化物は、オゾン発生器４により酸化された後、窒素酸化物除去ユニット１へと送られる。窒素酸化物を含む空気は、円柱フィルタ２の外部から円柱フィルタ２を通過した後、一度中空部分に入り、円柱フィルタ２の中空部分から円柱フィルタ２を再度通過することによって、窒素酸化物除去液３が付着した円柱フィルタ２を２回通過して窒素酸化物除去ユニット１の後方へ排気される。このとき、空気中に含まれる窒素酸化物と窒素酸化物除去液とが接触することにより、窒素酸化物は、硝酸イオンや亜硝酸イオンの形で吸収除去される、または、無害な窒素に還元される。【選択図】図１
2009142739.tif 000002
【特許請求の範囲】
【請求項１】
窒素酸化物除去液中に多角柱または円柱フィルタの一部を浸漬して回転させることにより、前記窒素酸化物除去液を前記多角柱または円柱フィルタの全周に付着させることができる機構を有し、前記窒素酸化物除去液が付着した前記多角柱または円柱フィルタに窒素酸化物を含む空気を通過させることにより、窒素酸化物を含む空気から窒素酸化物を除去することを特徴とする窒素酸化物除去装置。
【請求項２】
窒素酸化物を含む空気が、窒素酸化物除去液が付着した多角柱または円柱フィルタを複数回通過する機構を有することを特徴とする請求項１に記載の窒素酸化物除去装置。
【請求項３】
多角柱または円柱フィルタが通風可能な孔を有する構造であることを特徴とする請求項１または２に記載の窒素酸化物除去装置。
【請求項４】
窒素酸化物除去液が塩基性であることを特徴とする請求項１または２に記載の窒素酸化物除去装置。
【請求項５】
窒素酸化物除去液が強塩基性物質を含む水溶液であることを特徴とする請求項４に記載の窒素酸化物除去装置。
【請求項６】
窒素酸化物除去液が還元能を有することを特徴とする請求項１または２に記載の窒素酸化物除去装置。
【請求項７】
窒素酸化物除去液が亜硫酸塩を含む水溶液であることを特徴とする請求項６に記載の窒素酸化物除去装置。
【請求項８】
空気中に含まれる窒素酸化物を酸化するための窒素酸化物酸化装置を有することを特徴とする請求項１乃至７いずれかに記載の窒素酸化物除去装置。
【請求項９】
窒素酸化物酸化装置が、オゾン発生器、または、酸化触媒であることを特徴とする請求項８に記載の窒素酸化物除去装置。
【請求項１０】
窒素酸化物除去液が付着した多角柱または円柱フィルタを通過することにより発生した液滴を除去するための液滴除去装置を有することを特徴とする請求項１乃至９いずれかに記載の窒素酸化物除去装置。
【請求項１１】
液滴除去装置が、電気集塵装置、サイクロン集塵装置、重力集塵装置、または、慣性力集塵装置から選ばれる装置のいずれか一つ、または、前記装置の二つ以上を組み合わせた装置であることを特徴とする請求項１０に記載の窒素酸化物除去装置。
【請求項１２】
請求項１に記載の窒素酸化物除去装置を用いて、窒素酸化物を含む空気から窒素酸化物を除去する、窒素酸化物除去工程を行うことを特徴とする窒素酸化物除去方法。
【請求項１３】
窒素酸化物除去工程は、窒素酸化物を含む空気を、窒素酸化物除去液が付着した多角柱または円柱フィルタに複数回通過させて行うことを特徴とする請求項１２に記載の窒素酸化物除去方法。
【請求項１４】
窒素酸化物除去工程は、多角柱または円柱フィルタ内に、窒素酸化物を含む空気を通過させて行うことを特徴とする請求項１２または１３に記載の窒素酸化物除去方法。
【請求項１５】
窒素酸化物除去工程は、塩基性の窒素酸化物除去液を用いることを特徴とする請求項１２乃至１４いずれかに記載の窒素酸化物除去方法。
【請求項１６】
塩基性の窒素酸化物除去液は、強塩基性物質を含む水溶液であることを特徴とする請求項１５に記載の窒素酸化物除去方法。
【請求項１７】
窒素酸化物除去工程は、還元能を有する窒素酸化物除去液を用いることを特徴とする請求項１２乃至１４いずれかに記載の窒素酸化物除去方法。
【請求項１８】
還元能を有する窒素酸化物除去液は、亜硫酸塩を含む水溶液であることを特徴とする請求項１７に記載の窒素酸化物除去方法。
【請求項１９】
窒素酸化物除去工程の前段に、窒素酸化物酸化工程を行うことを特徴とする請求項１２乃至１８いずれかに記載の窒素酸化物除去方法。
【請求項２０】
窒素酸化物酸化工程は、オゾンまたは触媒の酸化作用により行うことを特徴とする請求項１９に記載の窒素酸化物除去方法。
【請求項２１】
窒素酸化物除去工程の後段に、液滴を除去するための液滴除去工程を行うことを特徴とする請求項１２乃至２０いずれかに記載の窒素酸化物除去方法。
【請求項２２】
液滴除去工程は、電気集塵方式、サイクロン集塵方式、重力集塵方式、または、慣性力集塵方式から選ばれる方式のいずれか一つ、または、前記方式の二つ以上を組み合わせた方式であることを特徴とする請求項２１に記載の窒素酸化物除去方法。
【発明の詳細な説明】
【技術分野】
【０００１】
本発明は、窒素酸化物を含む空気から窒素酸化物を除去するための窒素酸化物除去装置およびこの装置を用いた窒素酸化物除去方法に関する。
【背景技術】
【０００２】
従来、この種の窒素酸化物除去装置は、特許文献１に開示されているように、粉状または６／８メッシュを越えない活性炭を１〜５０重量％含有する水、酸またはアルカリ水溶液からなる吸収液を吸収塔の上部から流下して、排ガスと向流接触させることによりガス吸収させる方法が用いられてきた。
【特許文献１】特開昭５２−１５５１８２号公報
【発明の開示】
【発明が解決しようとする課題】
【０００３】
このような従来の窒素酸化物除去装置は、吸収液を吸収塔の上部から流下させるために、ノズルを設けるなどの手段により液を噴射させていた。そのため、吸収液を噴射させるノズルが詰まってしまい吸収液が噴射されない、という故障が発生し易く、また、ノズルの詰まりを取り除くためのメンテナンスに手間がかかるという課題があった。また、吸収塔は複雑な構成で、設計施工に時間と費用が掛かるという課題があった。
【０００４】
本発明は、このような従来の課題を解決するものであり、簡易な構成で故障が少なく、メンテナンスなどを省力化することができる窒素酸化物除去装置およびこの装置を用いた窒素酸化物除去方法を提供することを目的としている。
【課題を解決するための手段】
【０００５】
本発明の窒素酸化物除去装置は、窒素酸化物除去液中に多角柱または円柱フィルタの一部を浸漬して回転させることにより、前記窒素酸化物除去液を前記多角柱または円柱フィルタの全周に付着させることができる機構を有し、前記窒素酸化物除去液が付着した前記多角柱または円柱フィルタに窒素酸化物を含む空気を通過させることにより、窒素酸化物を含む空気から窒素酸化物を除去することを特徴とする窒素酸化物除去装置である。
【０００６】
これにより、窒素酸化物除去液を噴射させるノズルを設ける必要がないため、ノズルが詰まらないようにするためのメンテナンスなどを省力化することができる窒素酸化物除去装置およびこの装置を用いた窒素酸化物除去方法を提供することができる。
【発明の効果】
【０００７】
本発明によれば、窒素酸化物除去液を噴射させるノズルを設ける必要がないため、簡易な構成で故障が少なく、メンテナンスなどを省力化することができる窒素酸化物除去装置およびこの装置を用いた窒素酸化物除去方法を提供することができる。
【発明を実施するための最良の形態】
【０００８】
本発明の請求項１に記載の発明は、窒素酸化物除去液中に多角柱または円柱フィルタの一部を浸漬して回転させることにより、前記窒素酸化物除去液を前記多角柱または円柱フィルタの全周に付着させることができる機構を有し、前記窒素酸化物除去液が付着した前記多角柱または円柱フィルタに窒素酸化物を含む空気を通過させることにより、窒素酸化物を含む空気から窒素酸化物を除去することを特徴とする窒素酸化物除去装置である。
【０００９】
これにより、ノズルを設けない簡易な構成で、多角柱または円柱フィルタの全周に窒素酸化物除去液を付着させることができる。
【００１０】
また、ここに示す窒素酸化物とは、一酸化窒素、二酸化窒素、一酸化二窒素、三酸化二窒素、四酸化二窒素、五酸化二窒素などの総称である。
【００１１】
また、ここに示す窒素酸化物除去液とは、窒素酸化物を含む空気と接触させることにより、空気中に含まれる窒素酸化物を吸収することができる液体、または、空気中に含まれる窒素酸化物を分解することができる液体を示し、窒素酸化物と反応して窒素酸化物を物理吸着、化学吸着、酸化、または、還元することができる物質が溶解または分散した液体である。
【００１２】
本発明の請求項２に記載の発明は、窒素酸化物を含む空気が、窒素酸化物除去液が付着した多角柱または円柱フィルタを複数回通過する機構を有することを特徴とする窒素酸化物除去装置である。
【００１３】
これにより、窒素酸化物を含む空気と窒素酸化物除去液との接触確率を高めることができるので、窒素酸化物の除去効率を高め、より清浄化された空気を得ることができる。
【００１４】
本発明の請求項３に記載の発明は、多角柱または円柱フィルタが通風可能な孔を有する構造であることを特徴とする窒素酸化物除去装置である。
【００１５】
これにより、窒素酸化物除去装置の圧力損失を大きく増大させてしまうことなく、多角柱または円柱フィルタ内に窒素酸化物を含む空気を通過させることができる。
【００１６】
また、ここに示す通風可能な孔を有する構造は、ハニカム構造体、または、発泡樹脂体や発泡金属体などの三次元網目構造が好ましい。
【００１７】
本発明の請求項４に記載の発明は、窒素酸化物除去液が塩基性であることを特徴とする窒素酸化物除去装置である。
【００１８】
これにより、空気中に含まれる窒素酸化物と塩基性液体とが中和反応して、窒素酸化物は硝酸イオンや亜硝酸イオンの形で吸収除去されるので、清浄化された空気を得ることができる。
【００１９】
本発明の請求項５に記載の発明は、窒素酸化物除去液が強塩基性物質を含む水溶液であることを特徴とする窒素酸化物除去装置である。
【００２０】
強塩基性物質を含む水溶液を窒素酸化物除去液とすることにより、窒素酸化物除去液と窒素酸化物とが反応しやすくなるため、窒素酸化物の除去効率を高めることができる。
【００２１】
また、ここに示す強塩基性物質とは、水酸化ナトリウム、水酸化カリウム、または、水酸化カルシウムなどを示す。
【００２２】
本発明の請求項６に記載の発明は、窒素酸化物除去液が還元能を有することを特徴とする窒素酸化物除去装置である。
【００２３】
空気中に含まれる窒素酸化物と窒素酸化物除去液とが接触することにより、窒素酸化物を無害な窒素に還元することができるので、清浄化された空気を得ることができる。
【００２４】
本発明の請求項７に記載の発明は、窒素酸化物除去液が亜硫酸塩を含む水溶液であることを特徴とする窒素酸化物除去装置である。
【００２５】
亜硫酸塩は強力な還元能を有しているため窒素酸化物と反応しやすく、窒素酸化物を無害な窒素に効率良く還元することができるので、清浄化された空気を得ることができる。
【００２６】
また、ここに示す亜硫酸塩とは、亜硫酸ナトリウムや亜硫酸カリウムなど亜硫酸の金属塩、または、亜硫酸アンモニウムなど亜硫酸の非金属塩を用いることができる。
【００２７】
本発明の請求項８に記載の発明は、空気中に含まれる窒素酸化物を酸化するための窒素酸化物酸化装置を有することを特徴とする窒素酸化物除去装置である。
【００２８】
これにより、一酸化窒素などの塩基性物質や還元性物質との反応性の乏しい化合物を、二酸化窒素などの反応性の高い化合物に変換することができるので、窒素酸化物除去効率を高め、より清浄化された空気を得ることができる。
【００２９】
本発明の請求項９に記載の発明は、窒素酸化物酸化装置が、オゾン発生器、または、酸化触媒であることを特徴とする窒素酸化物除去装置である。
【００３０】
これにより、一酸化窒素などの塩基性物質や還元性物質との反応性の乏しい化合物を、二酸化窒素などの反応性の高い化合物に変換することができるので、窒素酸化物除去効率を高め、より清浄化された空気を得ることができる。
【００３１】
また、空気中に含まれる窒素酸化物を酸化するには、窒素酸化物を含む空気を流す風路に、オゾン発生器に備えられたオゾン発生部位を配置し、オゾンを発生させることにより、空気中に含まれる窒素酸化物とオゾンとを接触させ、酸化すればよい。
【００３２】
また、窒素酸化物を酸化することのできる酸化触媒を担持したセラミックハニカムと、前記セラミックハニカムを加熱するためのヒータなどを配置し、前記セラミックハニカムを加熱した状態で窒素酸化物を含む空気を通過させることにより、空気中の窒素酸化物を酸化させてもよい。
【００３３】
本発明の請求項１０に記載の発明は、窒素酸化物除去液が付着した多角柱または円柱フィルタを通過することにより発生した液滴を除去するための液滴除去装置を有することを特徴とする窒素酸化物除去装置である。
【００３４】
これにより、窒素酸化物除去液が吸収した窒素酸化物、および、窒素酸化物と塩基性物質との反応生成物を含んだ液滴を除去することができるので、窒素酸化物除去液が吸収した窒素酸化物、および、窒素酸化物と塩基性物質との反応生成物を窒素酸化物除去装置外へ排気してしまうことがなく、より清浄化された空気を得ることができる。
【００３５】
本発明の請求項１１に記載の発明は、液滴除去装置が、電気集塵装置、サイクロン集塵装置、重力集塵装置、または、慣性力集塵装置から選ばれる装置のいずれか一つ、または、前記装置の二つ以上を組み合わせた装置であることを特徴とする窒素酸化物除去装置である。
【００３６】
これにより、窒素酸化物除去液が吸収した窒素酸化物、および、窒素酸化物と塩基性物質との反応生成物を含んだ液滴を除去することができるので、窒素酸化物除去液が吸収した窒素酸化物、および、窒素酸化物と塩基性物質との反応生成物を窒素酸化物除去装置外へ排気してしまうことがなく、より清浄化された空気を得ることができる。
【００３７】
また、前記装置の二つ以上を組み合わせた装置とは、それぞれの液滴除去装置を並列に並べてもよいが、液滴の除去率をより高めるためには直列に並べるのが好ましい。さらには、前段に重力集塵装置や慣性力集塵装置を配置し、粒径の大きな液滴を除去し、後段に電気集塵装置やサイクロン集塵装置を配置し、粒径の小さな液滴を除去するのが最も好ましい。
【００３８】
本発明の請求項１２に記載の発明は、前記窒素酸化物除去装置を用いて、窒素酸化物を含む空気から窒素酸化物を除去する、窒素酸化物除去工程を行うことを特徴とする窒素酸化物除去方法である。
【００３９】
これにより、ノズルを設けず、多角柱または円柱フィルタに窒素酸化物除去液を付着させ、窒素酸化物を除去することができる。
【００４０】
本発明の請求項１３に記載の発明は、窒素酸化物除去工程は、窒素酸化物を含む空気を、窒素酸化物除去液が付着した多角柱または円柱フィルタに複数回通過させて行うことを特徴とする窒素酸化物除去方法である。
【００４１】
これにより、窒素酸化物を含む空気と窒素酸化物除去液との接触確率を高めることができるので、窒素酸化物の除去効率を高め、より清浄化された空気を得ることができる。
【００４２】
本発明の請求項１４に記載の発明は、窒素酸化物除去工程は、多角柱または円柱フィルタ内に、窒素酸化物を含む空気を通過させて行うことを特徴とする窒素酸化物除去方法である。
【００４３】
多角柱または円柱フィルタ内に窒素酸化物を含む空気を通過させるようにすることにより、多角柱または円柱フィルタの外部から多角柱または円柱フィルタを通過した後、一度多角柱または円柱フィルタの中空部分に入り、多角柱または円柱フィルタの中空部分から多角柱または円柱フィルタを再度通過することによって、窒素酸化物除去液が付着した多角柱または円柱フィルタを少なくとも２回通過させることができるので、窒素酸化物の除去効率を高め、より清浄化された空気を得ることができる。
【００４４】
本発明の請求項１５に記載の発明は、窒素酸化物除去工程は、塩基性の窒素酸化物除去液を用いることを特徴とする窒素酸化物除去方法である。
【００４５】
これにより、空気中に含まれる窒素酸化物と塩基性液体とが中和反応して、窒素酸化物は硝酸イオンや亜硝酸イオンの形で吸収除去されるので、清浄化された空気を得ることができる。
【００４６】
本発明の請求項１６に記載の発明は、塩基性の窒素酸化物除去液は、強塩基性物質を含む水溶液であることを特徴とする窒素酸化物除去方法である。
【００４７】
強塩基性物質を含む水溶液を窒素酸化物除去液とすることにより、窒素酸化物除去液と窒素酸化物とが反応しやすくなるため、窒素酸化物の除去効率を高めることができる。
【００４８】
本発明の請求項１７に記載の発明は、窒素酸化物除去工程は、還元能を有する窒素酸化物除去液を用いることを特徴とする窒素酸化物除去方法である。
【００４９】
空気中に含まれる窒素酸化物と窒素酸化物除去液とが接触することにより、窒素酸化物を無害な窒素に還元することができるので、清浄化された空気を得ることができる。
【００５０】
本発明の請求項１８に記載の発明は、還元能を有する窒素酸化物除去液は、亜硫酸塩を含む水溶液であることを特徴とする窒素酸化物除去方法である。
【００５１】
亜硫酸塩は強力な還元能を有しているため窒素酸化物と反応しやすく、窒素酸化物を無害な窒素に効率良く還元することができるので、清浄化された空気を得ることができる。
【００５２】
本発明の請求項１９に記載の発明は、窒素酸化物除去工程の前段に、窒素酸化物酸化工程を行うことを特徴とする窒素酸化物除去方法である。
【００５３】
これにより、一酸化窒素などの塩基性物質や還元性物質との反応性の乏しい化合物を、二酸化窒素などの反応性の高い化合物に変換することができるので、窒素酸化物除去効率を高め、より清浄化された空気を得ることができる。
【００５４】
本発明の請求項２０に記載の発明は、窒素酸化物酸化工程は、オゾンまたは触媒の酸化作用により行うことを特徴とする窒素酸化物除去方法である。
【００５５】
これにより、一酸化窒素などの塩基性物質や還元性物質との反応性の乏しい化合物を、二酸化窒素などの反応性の高い化合物に変換することができるので、窒素酸化物除去効率を高め、より清浄化された空気を得ることができる。
【００５６】
また、空気中に含まれる窒素酸化物を酸化するには、窒素酸化物を含む空気を流す風路に、オゾン発生器に備えられたオゾン発生部位を配置し、オゾンを発生させることにより、空気中に含まれる窒素酸化物とオゾンとを接触させ、酸化すればよい。
【００５７】
また、窒素酸化物を酸化することのできる酸化触媒を担持したセラミックハニカムをヒータなどで加熱し、窒素酸化物を含む空気を通過させることにより、空気中の窒素酸化物を酸化させてもよい。
【００５８】
本発明の請求項２１に記載の発明は、窒素酸化物除去工程の後段に、液滴を除去するための液滴除去工程を行うことを特徴とする窒素酸化物除去方法である。
【００５９】
これにより、窒素酸化物除去液が吸収した窒素酸化物、および、窒素酸化物と塩基性物質との反応生成物を含んだ液滴を除去することができるので、窒素酸化物除去液が吸収した窒素酸化物、および、窒素酸化物と塩基性物質との反応生成物を系外へ排気してしまうことがなく、より清浄化された空気を得ることができる。
【００６０】
本発明の請求項２２に記載の発明は、液滴除去工程は、電気集塵方式、サイクロン集塵方式、重力集塵方式、または、慣性力集塵方式から選ばれる方式のいずれか一つ、または、前記方式の二つ以上を組み合わせた方式であること窒素酸化物除去方法である。
【００６１】
これにより、窒素酸化物除去液が吸収した窒素酸化物、および、窒素酸化物と塩基性物質との反応生成物を含んだ液滴を除去することができるので、窒素酸化物除去液が吸収した窒素酸化物、および、窒素酸化物と塩基性物質との反応生成物を系外へ排気してしまうことがなく、より清浄化された空気を得ることができる。
【００６２】
また、前記装置の二つ以上を組み合わせた方式とは、それぞれの液滴除去手段を並列に並べてもよいが、液滴の除去率をより高めるためには直列に並べるのが好ましい。さらには、前段に重力集塵方式や慣性力集塵方式を設けて粒径の大きな液滴を除去し、後段に電気集塵方式やサイクロン集塵方式を設けて粒径の小さな液滴を除去するのが最も好ましい。
【００６３】
以下、本発明の実施の形態について図面を参照しながら説明するが、以下の解釈に何ら限定されるものではない。
【００６４】
（実施の形態１）
まず、本発明に記載の窒素酸化物除去装置について、図１に図示して説明する。
【００６５】
本発明に記載の窒素酸化物除去装置は、窒素酸化物除去ユニット１内に、発泡樹脂体を円柱にした円柱フィルタ２が配置され、円柱フィルタ２の下方部は窒素酸化物除去液３に浸漬している。円柱フィルタ２は、内部が中空になっており、すなわち、断面がドーナツ状のフィルタである。また、円柱フィルタ２を回転させる機構を有しており、円柱フィルタ２が回転することによって円柱フィルタ２の全周に窒素酸化物除去液３を付着させることができる。
【００６６】
窒素酸化物除去液３には、空気中に含まれる窒素酸化物と中和反応して窒素酸化物を硝酸イオンや亜硝酸イオンの形で吸収する作用を有する水酸化カルシウム水溶液や、空気中の窒素酸化物を還元する作用を有する亜硫酸ナトリウム水溶液を用いることができる。窒素酸化物除去液３は使用するにつれて水酸化カルシウムや亜硫酸ナトリウムの濃度が変化することがあるので、その場合には水酸化カルシウムや亜硫酸ナトリウムを添加する、または、窒素酸化物除去液３の全量を入れ替えるなどすればよい。
【００６７】
また、窒素酸化物除去ユニット１の前段には、一酸化窒素を二酸化窒素へと酸化するための窒素酸化物酸化装置としてのオゾン発生器４が配置されている。
【００６８】
また、窒素酸化物除去ユニット１の後段には、窒素酸化物除去液３が付着した円柱フィルタ２を通過することにより発生した液滴を除去するための液滴除去装置としての重力集塵装置５および電気集塵装置６が配置されている。
【００６９】
次に、本発明に記載の窒素酸化物除去装置を用いた窒素酸化物除去方法について説明する。
【００７０】
（窒素酸化物酸化工程）
空気中の一酸化窒素は、オゾン発生器４で生成されたオゾンの作用により二酸化窒素へと酸化された後、窒素酸化物除去ユニット１へと送られる。
【００７１】
一酸化窒素より二酸化窒素の方が反応し易く、空気中に一酸化窒素を含む場合は、この窒素酸化物酸化工程により、次工程での窒素酸化物除去効率を高めることができる。
【００７２】
（窒素酸化物除去工程）
窒素酸化物を含む空気は、円柱フィルタ２の外部から円柱フィルタ２を通過した後、一度円柱フィルタ２の中空部分に入り、円柱フィルタ２の中空部分から円柱フィルタ２を再度通過することによって、窒素酸化物除去液３が付着した円柱フィルタ２を２回通過して窒素酸化物除去ユニット１の後方へ排気される。
【００７３】
このとき、空気中に含まれる窒素酸化物と窒素酸化物除去液とが接触することにより、窒素酸化物は、硝酸イオンや亜硝酸イオンの形で吸収除去される、または、無害な窒素に還元される。
【００７４】
（液滴除去工程）
窒素酸化物除去ユニット１の後方へ排気された空気は、窒素酸化物除去液３が付着した円柱フィルタ２を通過することにより、窒素酸化物除去液３が吸収した窒素酸化物、および、窒素酸化物と塩基性物質との反応生成物を含んだ液滴を含んでいるため、液滴除去装置としての重力集塵装置５へと送られて粒径の大きな液滴は重力により下降し、空気中から除去される。
【００７５】
さらに、重力集塵装置５を通過した粒径の小さな液滴は、その後段に配置された電気集塵装置６で除去される。
【００７６】
本実施の形態では、重力集塵装置５と電気集塵装置６の両方を配置したが、どちらか一つでも液滴除去は可能である。
【００７７】
このような簡易な構成の装置で窒素酸化物除去方法を用いることにより、空気中に含まれる窒素酸化物を効率良く除去することができるだけでなく、破損などにより使用不能にならない限り、交換や洗浄などのメンテナンスをする必要がないので、従来の窒素酸化物除去装置よりもメンテナンスなどを省力化することができる。
【００７８】
また、ここではフィルタ形状が円柱の場合について説明したが、多角柱の場合についても同様の装置構成および方法にて空気中の窒素酸化物を除去することができる。
【００７９】
また、ここでは窒素酸化物酸化装置としてオゾン発生器４を用いた場合について説明したが、窒素酸化物を酸化することのできる酸化触媒とこの触媒を加熱するためのヒータとを組み合わせて、窒素酸化物酸化装置として用いることもできる。
【００８０】
（実施の形態２）
まず、本発明に記載の窒素酸化物除去装置について、図２に図示して説明する。
【００８１】
本発明に記載の窒素酸化物除去装置は、実施の形態１に示した窒素酸化物除去装置の窒素酸化物除去ユニット１内に、円柱フィルタ２の後段に２番目の円柱フィルタ７が配置されている。その他の装置構成については実施の形態１と同様である。
【００８２】
また、ここでは円柱フィルタ２および２番目の円柱フィルタ７それぞれに対して窒素酸化物除去液３を用いる場合を図示したが、円柱フィルタ２および２番目の円柱フィルタ７を同一の窒素酸化物除去液３に浸漬しても構わない。
【００８３】
次に、本発明に記載の窒素酸化物除去装置を用いた窒素酸化物除去方法について説明する。
【００８４】
実施の形態１と同様の作用により酸化された空気中の窒素酸化物は、窒素酸化物除去ユニット１へと送られる。窒素酸化物を含む空気は、円柱フィルタ２の外部から円柱フィルタ２を通過した後、一度円柱フィルタ２の中空部分に入り、円柱フィルタ２の中空部分から円柱フィルタ２を再度通過する。さらに、２番目の円柱フィルタ７も同様に通過し、窒素酸化物除去液３が付着したフィルタを合計４回通過して窒素酸化物除去ユニット１の後方へ排気される。このとき、空気中に含まれる窒素酸化物と窒素酸化物除去液とが接触することにより、窒素酸化物は、硝酸イオンや亜硝酸イオンの形で吸収除去される、または、無害な窒素に還元される。
【００８５】
窒素酸化物除去ユニット１の後方へ排気された空気は、窒素酸化物除去液３が付着した円柱フィルタ２および２番目の円柱フィルタ７を通過することにより、窒素酸化物除去液３が吸収した窒素酸化物、および、窒素酸化物と塩基性物質との反応生成物を含んだ液滴を含み、この液滴は実施の形態１と同様の作用により除去される。
【００８６】
また、ここでは円柱フィルタ２および２番目の円柱フィルタ７を用いる場合について説明したが、さらに多くの円柱フィルタを用いても同様の方法で窒素酸化物を除去することができる。
【実施例】
【００８７】
（実施例１）
本発明実施の形態１に記載の窒素酸化物除去方法により、二酸化窒素除去試験を行った。その試験装置と方法について図３に図示して説明する。
【００８８】
枠体８の中に発泡ウレタンを円柱にした円柱フィルタ２が配置され、円柱フィルタ２の下方部は亜硫酸ナトリウム水溶液９に浸漬している。円柱フィルタ２は、内部が中空になっており、すなわち、断面がドーナツ状のフィルタである。また、円柱フィルタ２は１．５回転／分で回転しており、円柱フィルタ２が回転することによって亜硫酸ナトリウム水溶液９を付着させている。
【００８９】
二酸化窒素を含む空気はファン１０の作用により亜硫酸ナトリウム水溶液９が付着した円柱フィルタ２を通過する機構になっており、ファン１０の回転数を調節することにより円柱フィルタ２の通過風速は約１ｍ／ｓとなるように調整した。
【００９０】
二酸化窒素は、二酸化窒素ボンベ１１からマスフローコントローラー１２を介して供給し、ファン１０により吸い込まれた大気で希釈して、入口濃度が約０．１ｐｐｍ、または、約１ｐｐｍとなるように調整した。
【００９１】
二酸化窒素除去率は、入口側ダクト１３および出口側ダクト１４の中央付近からでサンプリングし、窒素酸化物測定装置１５により測定した二酸化窒素濃度の差から求めた。
【００９２】
次に、亜硫酸ナトリウム水溶液９の濃度を変えたときの、二酸化窒素除去試験の結果について表１に示して説明する。
【００９３】
【表１】
2009142739.tif 000003
【００９４】
表１に示すように、二酸化窒素入口濃度が約０．１ｐｐｍとしたとき、亜硫酸ナトリウム水溶液９の濃度が０ｗｔ％（すなわち水）、０．１ｗｔ％、１ｗｔ％、１０ｗｔ％のときの二酸化窒素除去率は、それぞれ１２．８％、１６．２％、２１．３％、４０．１％であった。
【００９５】
また、二酸化窒素入口濃度が約１ｐｐｍとしたとき、亜硫酸ナトリウム水溶液９の濃度が０ｗｔ％、０．１ｗｔ％、１ｗｔ％、１０ｗｔ％のときの二酸化窒素除去率は、それぞれ６．６％、９．２％、１５．８％、３７．４％であった。
【００９６】
これらの結果から、本発明実施の形態１に記載の窒素酸化物除去方法により、二酸化窒素が約４０％除去できることがわかった。また、円柱フィルタ２の数を増やして、二酸化窒素が円柱フィルタ２を通過する回数を増やす、円柱フィルタ２の網目を細かくする、または、円柱フィルタ２の回転数を増やすなどの手段を講じることにより、除去率を向上させることが可能である。
【産業上の利用可能性】
【００９７】
本発明の窒素酸化物除去装置は、窒素酸化物除去液を噴射させるノズルを設ける必要がないため、ノズルが詰まらないようにするためのメンテナンスなどを省力化することができ、ボイラーなどから発生する窒素酸化物の除去装置、または、都市部の道路沿道などで発生する窒素酸化物の除去装置などに適用できるので有用である。
【図面の簡単な説明】
【００９８】
【図１】実施の形態１における窒素酸化物除去装置の断面概念図
【図２】実施の形態２における窒素酸化物除去装置の断面概念図
【図３】実施例１における二酸化窒素除去試験方法を示す概念図
【符号の説明】
【００９９】
１    窒素酸化物除去ユニット
２    円柱フィルタ
３    窒素酸化物除去液
４    オゾン発生器
５    重力集塵装置
６    電気集塵装置
７    ２番目の円柱フィルタ
８    枠体
９    亜硫酸ナトリウム水溶液
１０  ファン
１１  二酸化窒素ボンベ
１２  マスフローコントローラー
１３  入口側ダクト
１４  出口側ダクト
１５  窒素酸化物測定装置
【図１】
2009142739.tif 000004
【図２】
2009142739.tif 000005
【図３】
2009142739.tif 000006